(57)【要約】【課題】トンネル内の温度上昇抑制と、トンネル内を利用する運転者の視環境確保の両立を図るミスト噴霧を実現する。【解決手段】半閉鎖空間であるトンネル内で噴霧ノズル（１０）から水をミストとして噴霧し、視環境を確保した上でトンネル内の温度上昇を抑制するトンネル内降温用噴霧システムであって、ミスト噴霧区間を複数の区画に分割し、各区画の境界または前記区画に対応して湿度計を設置し、湿度計の測定値が所定値を超えた湿度計よりも風上側の１区画の噴霧を停止する。【選択図】図２
2015113586.tif 000002
【特許請求の範囲】
【請求項１】
半閉鎖空間であるトンネル内で、前記トンネル内の所定のミスト噴霧区画内に設置された噴霧ノズルから水をミストとして噴霧し、トンネル内を利用する運転者の視環境を確保した上で前記トンネル内の温度上昇を抑制するトンネル内降温用噴霧システムであって、
前記ミスト噴霧区画が複数の区画に分割され、
前記区画の境界に、または前記区画に対応して湿度計が配置され、
前記湿度計の測定値が所定値を越えたときに、前記湿度計の風上側１区画以上の前記区画のミスト噴霧を停止または減量する
ことを特徴としたトンネル内降温用噴霧システム。
【請求項２】
半閉鎖空間であるトンネル内で、前記トンネル内の所定のミスト噴霧区画内に設置された噴霧ノズルから水をミストとして噴霧し、トンネル内を利用する運転者の視環境を確保した上で前記トンネル内の温度上昇を抑制するトンネル内降温用噴霧システムであって、
前記ミスト噴霧区画が複数の区画に分割され、
前記区画の境界に、または前記区画に対応して湿度計が配置され、
前記湿度計の測定値が所定値を越えたときに、前記湿度計の風下側１区画以上の前記区画のミスト噴霧を停止または減量する
ことを特徴としたトンネル内降温用噴霧システム。
【請求項３】
請求項１に記載のトンネル内降温用噴霧システムにおいて、
前記湿度計の測定値が所定値を越えたときに、前記湿度計の風下側の全ての前記区画のミスト噴霧を停止または減量する
ことを特徴とするトンネル内降温用噴霧システム。
【請求項４】
請求項１乃至３に記載のトンネル内降温用噴霧システムにおいて、
さらに風向計を備え、前記風向計の測定値に基づき風向きを判断する
ことを特徴とするトンネル内降温用噴霧システム。
【請求項５】
請求項１乃至４に記載のトンネル内降温用噴霧システムにおいて、
さらに風速計を備え、前記風速計の測定値に基づきミスト噴霧を停止または減量する区画を選択する
ことを特徴とするトンネル内降温用噴霧システム。
【発明の詳細な説明】
【技術分野】
【０００１】
本発明は、トンネル内の温度上昇抑制、およびトンネル内を利用する運転者の視環境確保の両立を図るために、ミスト噴霧の制御について規定したトンネル内降温用噴霧システムに関する。
【背景技術】
【０００２】
従来技術として、大気開放された空間の温度低下を目的とした降温用噴霧システムが知られている（例えば、特許文献１参照）。この特許文献１によれば、ミストのザウター平均粒径に基づいて噴霧ノズルの設置高さおよびミストの噴霧量を設定することで、大気開放された空間内の人を濡らすことなく、適切に冷却することができる。
【先行技術文献】
【特許文献】
【０００３】
【特許文献１】特許４４８８５１０号公報
【発明の概要】
【発明が解決しようとする課題】
【０００４】
しかしながら、従来技術には、以下のような課題がある。
特許文献１は、大気開放された空間における温度低下を対象としており、ミストの平均粒径、ノズル設置高さ、およびミスト噴霧量に関するパラメータをある適切な範囲に規定したものである。
【０００５】
これに対して、断続的に車両が動いており、半閉鎖空間であるトンネル内を温度低下の対象空間とする場合には、大気開放された空間を前提とする従来技術では、解決できない問題が生ずる。
【０００６】
具体的には、半閉鎖空間であるトンネル内では、トンネルの長手方向に風が流れている状態である。また、トンネル内を利用する運転者（トンネル内を通行する車両の運転者）は、車両を走行させており、その視環境を確保することが重要となる。このような観点では、トンネル内の温度上昇抑制と、トンネル内を利用する運転者の視環境確保の両立を図るために、半閉鎖空間の中でのミスト噴霧に関し、大気開放された空間を対象とする場合よりも、より厳しい使用条件が必要となる。
【０００７】
本発明は、前記のような課題を解決するためになされたものであり、トンネル内の温度上昇抑制と、トンネル内を利用する運転者の視環境確保の両立を図るミスト噴霧を実現することのできるトンネル内降温用噴霧システムを得ることを目的とする。
【課題を解決するための手段】
【０００８】
本発明に係るトンネル内降温用噴霧システムは、半閉鎖空間であるトンネル内で、前記トンネル内の所定のミスト噴霧区画内に設置された噴霧ノズルから水をミストとして噴霧し、トンネル内を利用する運転者の視環境を確保した上で前記トンネル内の温度上昇を抑制するトンネル内降温用噴霧システムであって、前記ミスト噴霧区画が複数の区画に分割され、前記区画の境界に、または前記区画に対応して湿度計が配置され、前記湿度計の測定値が所定値を越えたときに、前記湿度計の風上側１区画以上の前記区画のミスト噴霧を停止または減量することを特徴とするものである。
【０００９】
また、本発明に係るトンネル内降温用噴霧システムは、半閉鎖空間であるトンネル内で、前記トンネル内の所定のミスト噴霧区画内に設置された噴霧ノズルから水をミストとして噴霧し、トンネル内を利用する運転者の視環境を確保した上で前記トンネル内の温度上昇を抑制するトンネル内降温用噴霧システムであって、前記ミスト噴霧区画が複数の区画に分割され、前記区画の境界に、または前記区画に対応して湿度計が配置され、前記湿度計の測定値が所定値を越えたときに、前記湿度計の風下側１区画以上の前記区画のミスト噴霧を停止または減量することを特徴とするものである。
【発明の効果】
【００１０】
本発明によれば、ミストが噴霧されるミスト噴霧区画が複数の区画に分割され、区画の境界に湿度計が配置され、湿度計の測定値が所定値を越えると、その湿度計の風上側１区画以上のミスト噴霧を停止または減量するので、噴霧したミストが蒸散しにくい状態となっている区画よりも風上側の噴霧を停止または減量して、ミストによって視程が悪い区画が発生せず、噴霧を停止または減量した区画以外の区画では通常のミスト噴霧を維持するのでトンネル内の温度を低下することができる。
【００１１】
また、本発明によれば、ミストが噴霧されるミスト噴霧区画が複数の区画に分割され、区画の境界に湿度計が配置され、湿度計の測定値が所定値を越えると、その湿度計の風上側１区画以上のミスト噴霧を停止または減量するので、噴霧したミストが蒸散しにくい状態となっている区画よりも風下側の噴霧を停止または減量して、ミストによって視程が悪い区画が発生せず、噴霧を停止または減量した区画以外の区画では通常のミスト噴霧を維持するのでトンネル内の温度を低下することができる。
【図面の簡単な説明】
【００１２】
【図１】本発明の実施の形態１に係わるトンネル内降温用噴霧システムの全体図である。
【図２】本発明の実施の形態１において、温湿度計３０（３）の湿度が閾値を越え、区画ｂのミスト噴霧を停止したときの全体図である。
【図３】本発明の実施の形態２において、温湿度計３０（３）の湿度が閾値を越え、区画ｃのミスト噴霧を停止したときの全体図である。
【発明を実施するための形態】
【００１３】
以下、本発明のトンネル内降温用噴霧システムの好適な実施の形態につき、図面を用いて説明する。
【００１４】
＜実施の形態１＞
図１は、本発明の実施の形態１に係わるトンネル内降温用噴霧システム１の全体図である。より具体的には、１つの半閉鎖空間を構成するトンネル内における各機器の配置を模式的に示した説明図である。
【００１５】
図１では、トンネルにおいて、所定のミスト噴霧区間内の壁面に敷設されたミスト配管５０に、複数の噴霧ノズル１０が設けられている。複数の噴霧ノズル１０は、ミスト配管５０のレイアウトによって、さらに区画分けされており、区画毎に噴霧制御弁５１（１）、５１（２）、５１（３）が設けられている。噴霧制御弁５１（１）、５１（２）、５１（３）は、後述する噴霧量制御部４０からの指示により、弁開度を制御することができる。また、各区間の境界付近には、温湿度計（温度計と湿度計に相当）３０（１）、３０（２）、３０（３）、３０（４）が設けられている。また、トンネルの入口側には、風向風速計２０が設けられている。
【００１６】
そして、噴霧量制御部４０は、温湿度計３０（１）、３０（２）、３０（３）、３０（４）の測定結果と風向風速計２０の測定結果に基づいて、複数の噴霧ノズル１０によるトンネル内への噴霧量を制御可能となっている。
【００１７】
噴霧量制御部４０は、トンネル内の温度が所定の閾値（例えば３０℃）以上となったときに、湿度が所定の閾値（例えば８０％）未満の場合には、ミスト噴霧を開始するため、噴霧制御弁５１（１）、５１（２）、５１（３）に弁開放信号を送信し、また図示しない送水ポンプを起動してミスト配管５０に水を加圧送水させる。
【００１８】
加圧送水された水は、噴霧ノズル１０に達すると、ザウター平均粒径が８０μｍ未満のミストとなって放出される。
【００１９】
放出されたミストは、トンネル内で蒸散し、その際の気化熱によりトンネル内の温度を下げるが、同時にトンネル内の湿度を上げている。湿度が上昇し、所定の閾値（例えば８０％）以上になると、ミストは蒸散しにくくなり、車のフロントガラスに水滴が付着するなどして、運転者の視程に影響が出る。
【００２０】
噴霧されたミストは風に流され、風下に移動しながら蒸散するので風下へ行くほど湿度が上がりやすい傾向がある。
トンネル内では風は長手方向のいずれか一方向に吹いているため、本実施の形態１のトンネル内降温用システム１では、湿度の測定値が所定の閾値（例えば、第１の閾値としての８０％）以上になった温湿度計（例えば図１の温湿度計３０（３））の風上側１区画（例えば図１の区画ｂ）のミスト噴霧を制御する噴霧制御弁５１（２）を閉止するか、開度を狭めて湿度が所定の閾値（例えば８０％）未満となるまでミスト噴霧を停止または減量する。
【００２１】
風上側１区画のミスト噴霧を停止または減量後、所定時間が経過しても温湿度計３０（３）の湿度の測定値が所定の閾値（例えば８０％）未満にならない場合には、ミスト噴霧を停止または減量している区画のさらに風上側１区画（例えば図１の区画ａ）のミスト噴霧を停止または減量する。
【００２２】
このようにして、湿度の測定値が所定の閾値（例えば８０％）以上になった温湿度計３０（３）の風上側１区画以上のミスト噴霧を停止または減量することで、全ての温湿度計３０（１）、３０（２）、３０（３）、３０（４）の湿度の測定値が所定の閾値（例えば８０％）未満となるように調整する。
【００２３】
こうすることで、湿度が高くミストが蒸散しにくい区画のミスト量を調整し、運転者の視程を確保しながら、効果的にトンネル内の温度を下げることができる。
【００２４】
このとき噴霧量制御部４０は、風向風速計２０の測定値によりトンネル内（温湿度計３０（３））のどちらから風が吹いているかを判断することができる。さらに、風速計２０の測定値によって、噴霧制御弁５１（１）、５１（２）、５１（３）の開度を調整して噴霧量を調整しても良いし、噴霧量を制御する区画を調整してもよい。
【００２５】
なお、本実施の形態１では、風向きは風向風速計２０の測定値により判断しているが、トンネル内に送風機が備えられ、トンネル内の換気を行っている場合には、トンネル内の風向きは一定方向であることが分かっているので、風向風速計２０の測定値を使わなくても制御を行うことができる。
【００２６】
＜実施の形態２＞
本実施の形態２のトンネル内降温用システム１００では、実施の形態１のトンネル内降温用システム１と構成機器、噴霧開始の条件等を共通とするシステムであり、異なる点としては、温湿度計３０の測定値が閾値より高くなった場合に、温湿度計３０の風下側１区画以上のミスト噴霧を停止または減量する点である。（例えば、図２の温湿度計３０（３）の測定値が閾値よりも高くなった場合には、区画ｃのミスト噴霧を停止または減量する。）
【００２７】
このとき、閾値は、第２の閾値として、トンネル内全体として管理したい湿度よりも低い値（例えば、トンネル内を湿度８０％未満で管理したい場合には、湿度の測定値が７５％）以上に設定する。
【００２８】
こうすることでミスト噴霧を停止または減量された区画では、風上で噴霧されたミストのみ、または、通常より減量されたミストが供給されることとなり、運転者の視程を確保しながら、効果的にトンネル内の温度を下げることができる。
【００２９】
なお、実施の形態１のトンネル内降温用システム１と実施の形態２のトンネル内降温用システム１００を組合せて使用しても良く、例えば図１の温湿度計３０（３）の測定値が閾値よりも高くなった場合には、区画ｂ、ｃのミスト噴霧を停止または減量するようにしてもよい。具体的には、例えば温湿度計３０（３）の測定値が第２の閾値よりも高くなった場合には、区画ｃのミスト噴霧を停止または減量し、その後、第１の閾値よりも高くなった場合には、区画ｂのミスト噴霧を停止または減量する。
【００３０】
さらに、温湿度計３０（３）の風上側１区画以上に加えて、風下側全区画（図示しない区画ｃより風下に設置された全ての区画）のミスト噴霧を停止または減量してもよい。
【００３１】
なお、上記実施の形態において、複数の区画の境界に温湿度計３０を設置する例を用いて説明したが、複数の区画に対応して温湿度計３０をそれぞれ設置してもよい。そして、温湿度計３０の測定値が閾値を越えたときに、上記実施の形態１と同様に、当該温湿度計３０を設置した区画よりも風上側の１区画以上の区画のミスト噴霧を停止または減量し、および／または、上記実施の形態２と同様に、当該温湿度計３０を設置した区画よりも風下側の１区画以上の区画のミスト噴霧を停止または減量することで、上記実施の形態と同様の効果を奏することができる。いずれの場合も、温湿度計の測定値が閾値を越えた区画のミスト噴霧も停止または減量するようにしてもよい。
【符号の説明】
【００３２】
１  トンネル内降温用噴霧システム、１０  噴霧ノズル、２０  風向風速計、３０（１）、３０（２）、３０（３）、３０（４）  温湿度計、４０  噴霧量制御部、４１  記憶部、５０  ミスト配管、５１（１）、５１（２）、５１（３）  噴霧制御弁、１００  トンネル内降温用噴霧システム。
【図１】
2015113586.tif 000003
【図２】
2015113586.tif 000004
【図３】
2015113586.tif 000005